(57)【要約】【課題】身動きがとりにくい状況でも簡易な操作で警報音を鳴らすことができる携帯用防犯ブザーを提供する。【解決手段】携帯用防犯ブザー１は、スイッチ穴１３ａを有するブザー本体と、スイッチ穴１３ａに挿入され、引き抜かれることで警報音を発生する第１スイッチとなる引き抜きスイッチ２と、ブザー本体１０に設けられ、警報音を発生する第２スイッチとなる押しボタンスイッチ３とを備える。押しボタンスイッチ３は、防水構造であるのが望ましい。【選択図】図１
2007316450.tif 000002
【特許請求の範囲】
【請求項１】
警報音を発生する携帯用防犯ブザーであって、
スイッチ穴を有するブザー本体と、
前記スイッチ穴に挿入され、引き抜かれることで前記警報音を発生する第１スイッチとなるスイッチピンと、
前記ブザー本体に設けられ、前記警報音を発生する第２スイッチとなる押しボタンスイッチとを備えたことを特徴とする携帯用防犯ブザー。
【請求項２】
前記押しボタンスイッチは、防水構造であることを特徴とする請求項１に記載の携帯用防犯ブザー。
【請求項３】
前記第１スイッチと前記第２スイッチとは、警報音を発生する回路に並列に接続されていることを特徴とする請求項１または請求項２に記載の携帯用防犯ブザー。
【発明の詳細な説明】
【技術分野】
【０００１】
本発明は、携帯用防犯ブザーに関する。
【背景技術】
【０００２】
一般に、携帯用の防犯ブザーは、所持者が危険な場面に会ったときに即座に警報を鳴らすことができるように、本体から部材を引っ張り、又は本体を部材から引き離すことで警報のスイッチを入れることができるように構成されている。
特に、典型的に利用されている構成としては、本体にスイッチピンを差し込んでおく構造にしておき、そのスイッチピンを本体から引っ張ることで、警報のスイッチを入れるものがある。このスイッチピンを引っ張ってスイッチを入れる携帯用防犯ブザーの中には、スイッチピンを引っ張っても本体から少し抜けるだけで本体にスイッチピンが結合したままのタイプと、スイッチピンが本体から完全に引き抜けるタイプとがある。
【０００３】
前者のタイプの携帯用防犯ブザーは、スイッチピンが本体から離れないので、誤ってスイッチピンを引いてしまった場合にすぐにスイッチピンを戻して警報を止めることができる。逆にいえば、実際に危険な状況に会った場合に簡単に警報を止められてしまうおそれがある。後者のタイプの携帯用防犯ブザーは、前者とは逆に、実際に危険な状況に会った場合に、警報を止められにくいというメリットがある。
【０００４】
このように、引き抜きタイプのスイッチを有する防犯ブザーは、警報を止められにくいというメリットがある一方で、引き抜き動作に比較的大きな動きを必要とする。そのため、混雑した電車の中など、身動きがとりにくい状況では、スイッチを入れにくいという問題がある。
【０００５】
また、従来の携帯用防犯ブザーの多くは、屋外で持ち歩くものであるにもかかわらず、防水性を考慮されていなかった。そのため、鞄に取り付けた携帯用防犯ブザーが雨に濡れると内部に水が浸入して電気回路を腐食させるおそれがあった。そして、防犯ブザーの警報音は非常に大きいことから、あまり頻繁に動作テストをすることもできず、必要なときに確実に動作する信頼性は重要である。
特許文献１に記載の防犯ブザー（アラーム）は、腕時計型のものであり、防水性について考慮されている。しかし、この防犯ブザーのスイッチの防水構造は詳しく記載されていないものの、図面から把握される限り複数部品を要する複雑なものである。また、ピンを引き抜くタイプのスイッチは備えていないので、容易にアラームを止められてしまうおそれもある。
【特許文献１】特開平８−３３４５７４号公報
【発明の開示】
【発明が解決しようとする課題】
【０００６】
本発明は、以上のような背景に鑑みてなされたものであり、身動きがとりにくい状況でも簡易な操作で警報音を鳴らすことができる携帯用防犯ブザーを提供することを課題とする。
【課題を解決するための手段】
【０００７】
前記課題を解決するため、本発明は、警報音を発生する携帯用防犯ブザーであって、スイッチ穴を有するブザー本体と、前記スイッチ穴に挿入され、引き抜かれることで前記警報音を発生する第１スイッチとなるスイッチピンと、前記ブザー本体に設けられ、前記警報音を発生する第２スイッチとなる押しボタンスイッチとを備えたことを特徴とする。
【０００８】
このような携帯用防犯ブザーによれば、満員電車の中など、容易に身動きがとれないような状況においても、押しボタンスイッチを押すという簡易な操作により第２スイッチを閉じ、警報音を鳴らして救助を求めることができる。また、利用者に危害を加える犯人が警報音に驚いている間に、スイッチピンを引き抜いて第１スイッチを閉じることで、容易には警報音を止められなくすることができる。
【０００９】
前記した携帯用防犯ブザーにおいては、前記押しボタンスイッチは、防水構造であることが望ましい。
このように構成することで、携帯用防犯ブザーを鞄に付けておくなどして濡れたとしても、携帯用防犯ブザーの内部に水が浸入することがなく、必要なときに確実に警報音を鳴らすことができる。
【００１０】
また、前記した携帯用防犯ブザーにおいては、前記第１スイッチと、前記第２スイッチとは、警報音を発生する回路に並列に接続されてなるのが望ましい。このような構成により、押しボタンスイッチを押すのと、スイッチピンを引き抜くのとのいずれかの操作で警報音を鳴らすことができる。別の言い方をすれば、スイッチピンを一度抜けば、押しボタンの操作にかかわらず警報音を鳴らし続けることができる。スイッチピンの引き抜きに加え、押しボタンスイッチも押せば、押しボタンスイッチを再度押し、スイッチピンも差し込まなければ警報音を止めることができない。
【００１１】
前記した携帯用防犯ブザーにおいては、前記押しボタンスイッチは、例えば、次のように構成される。すなわち、棒状部および当該棒状部に設けられた鍔部を有するゴム状のボタン部材と、前記ブザー本体内部に設けられた回路基板上のプッシュスイッチ素子とを備え、前記ブザー本体の外装のケースに形成された貫通孔から前記ボタン部材の棒状部を外部に臨ませるとともに、前記プッシュスイッチ素子を前記棒状部の基端に配置し、前記鍔部を前記貫通孔の縁部に押圧させてなるのが望ましい。
【００１２】
このようなゴム状のボタン部材により、ケースとボタンとの間の防水性を確保するとともに、内部の回路基板上のスイッチを、ボタン部材で直接押す構造とすることで、極めて簡易な構成で、防水性能を確保した押しボタンスイッチを構成することができる。すなわち、鍔部がケースに押圧されることで、防水がなされ、かつ、ボタン部材がゴム状の材質でできているので、鍔部が弾性変形し、回路基板上のプッシュスイッチ素子を押すストロークを得ることができる。
【００１３】
前記した携帯用防犯ブザーにおいては、前記ケースの外表面の輪郭の延長面より、前記棒状部の先端が引っ込んでいるのが望ましい。このように、ケースの外表面の延長面より棒状部の先端が引っ込んでいる（低い）ことで、携帯時に何かにぶつかっても、誤って第２スイッチが入る可能性が低くなる。
【００１４】
前記した携帯用防犯ブザーにおいては、前記ケースの外表面は、前記貫通孔の周囲が漏斗状に形成され、前記貫通孔と漏斗状の面の境より、前記棒状部の先端が突出しているのが望ましい。このように、漏斗状の面と貫通孔の境、つまり漏斗状の面の下端より棒状部の先端が突出していることで、指で棒状部に触れたときには、棒状部を押し込む操作をすることができる。
【発明の効果】
【００１５】
本発明によれば、スイッチピンを引き抜く第１スイッチにより、容易に警報音を止められることがないばかりでなく、容易に身動きがとれないような状況においても、第２スイッチにより容易に警報音を鳴らすことが可能となる。
【発明を実施するための最良の形態】
【００１６】
次に、本発明の実施形態について、適宜図面を参照しながら詳細に説明する。参照する図面において、図１は、第１実施形態に係る携帯用防犯ブザーの全体斜視図であり、図２（ａ）は、第１実施形態に係る携帯用防犯ブザーの分解斜視図であり、図２（ｂ）は、下ケースの内面側から見た分解斜視図である。
【００１７】
図１に示すように、携帯用防犯ブザー１は、ブザー本体１０とスイッチピン２０とを備えて構成されている。スイッチピン２０は、第１スイッチとしての引き抜きスイッチ２の構成部材である。スイッチピン２０は、通常時はスイッチ穴１３ａに挿入されており、ブザー本体１０は、スイッチピン２０がスイッチ穴１３ａから引き抜かれることで、警報音のスイッチが入るように構成されている。また、ブザー本体１０の上側（以下、説明の便宜上、図１の上下で「上」および「下」を用いる。）の表面には、第２スイッチとしての押しボタンスイッチ３が配置されている。
【００１８】
ブザー本体１０には、ブザー本体１０を鞄などから吊り下げるためにチェン９１が取り付けられ、チェン９１の端部にはリング状の金具などに係脱可能なフック９２が結合されている。また、ブザー本体１０をランドセルのベルトなど、ある程度太い部材に取り付けるため、端部同士で互いに結合可能なバンド９３が下側に設けられている。バンド９３の両端部には、面ファスナ９３ａ，９３ｂが縫製などにより設けられている。
バンド９３の長さは、好ましくは、１０〜１５ｃｍ、より好ましくは１１〜１２．５ｃｍ程度である。このような長さとすることで、ランドセルのベルトに取り付けやすいとともに、首などに取り付けることが不可能となる。また、面ファスナ９３ａ，９３ｂを用いていることで、鞄などから簡単に取り外して、他の鞄へ取り付けることが可能であるとともに、様々な太さの部分に取り付けることが可能である。
【００１９】
スイッチピン２０は、ブザー本体１０のスイッチ穴１３ａに挿入されるピン部２１と、ピン部２１の一端に設けられた円柱状のヘッド２２とを備えて構成されている。
ピン部２１には、リング状の第１シール部材５１が外嵌されている。第１シール部材５１は、スイッチピン２０をスイッチ穴１３ａに挿入したときに、ヘッド２２とブザー本体１０のスイッチ穴１３ａの周りの部分（縁部１３ｅ、図３（ｂ）参照）とで挟持される。これにより、スイッチ穴１３ａからブザー本体１０の内部に水が浸入するのが防止されている。
第１シール部材５１の内径は、好ましくはピン部２１の外径と同じか、若干小さいのがよい。このようにすることで、スイッチピン２０をブザー本体１０から引き抜いたときに、第１シール部材５１がピン部２１から脱落せず、再度スイッチピン２０をスイッチ穴１３ａに挿入したときの防水性能を確保することができる。また、第１シール部材５１は、ゴム状のものであるのがよい。
【００２０】
ヘッド２２には貫通した穴２２ａが形成されており、穴２２ａにリング９５を介してストラップ９４が取り付けられている。ストラップ９４は、携帯用防犯ブザー１の使用者が危険に遭遇したときに素早くスイッチピン２０をブザー本体１０から引き抜くために掴む部分として機能する。
【００２１】
ブザー本体１０は、その外装のケースＣが第１ケースとしての上ケース１１と第２ケースとしての下ケース１２とから構成されている。上ケース１１には、スピーカ３３（図２参照）から大きな警報音を外部へ放出することができるようにするとともに、外部からスピーカ３３へ直接水が掛からないように保護するキャップ１４が取り付けられている。ケースＣは、全体として卵形であり、長径の方向の先端に前記したスイッチ穴１３ａが配置されている。
【００２２】
図２（ａ）に示すように、ケースＣの中には、警報装置３０が収容されている。警報装置３０は、警報音を発するための信号を出力する回路を備えた回路基板３１と、装置の電源となる電池３２と、回路基板３１に電線３４を介して接続され、回路からの信号が入力されて警報音を発するスピーカ３３と、第１スイッチを構成するスイッチ部材１３と、第２スイッチを構成するプッシュスイッチ素子４５とを備えてなる。なお、図２（ａ）は、図１の携帯用防犯ブザー１を上下反対にして分解した状態を示している。
回路基板３１上（図２（ａ）においては、回路基板３１の裏側にある）には、半田付けなどにより第１スイッチを構成するスイッチ部材１３が固定されている。前記したスイッチ穴１３ａは、このスイッチ部材１３に形成された穴である。また、同じく回路基板３１上（図２（ａ）においては、回路基板３１の裏側にある）には、第２スイッチを構成するプッシュスイッチ素子４５が固定されている。
【００２３】
スイッチ部材１３は、一方からスイッチピン２０が挿入可能なようにスイッチ穴１３ａが開口した筒状の部材である。スイッチ部材１３は、上ケース１１と下ケース１２に挟まれる形で配置されている。すなわち、スイッチ部材１３は、上ケース１１と下ケース１２の境界に配置されている。そして、スイッチ穴１３ａは、上ケース１１と下ケース１２の間から外部へ露出している。
【００２４】
回路基板３１には、回路基板３１をネジ９８で上ケース１１に固定するための２つの小孔３１ａが形成されている。
上ケース１１には、小孔３１ａの位置に対応して、ボス１１ａが２つ形成されている。ネジ９８を小孔３１ａに通してボス１１ａにねじ込むことで、回路基板３１は上ケース１１に固定されている。なお、回路基板３１を上ケース１１に固定するためのネジ９８は、１つでもよいし、３つ以上でもよい。
【００２５】
スイッチ部材１３の形状に対応して、上ケース１１の縁には半円形の凹部１１ｃが形成され、下ケース１２の縁には半円形の凹部１２ｃが形成されている。そして、スイッチ部材１３とこれらの凹部１１ｃ，１２ｃとの間からケースＣの内部に水が浸入しないように、スイッチ部材１３と凹部１１ｃ，１２ｃとの間にリング状の第２シール部材５２が配置されている。また、上ケース１１と下ケース１２との間からケースＣの内部に水が浸入しないように、上ケース１１と下ケース１２との間にリング状の第３シール部材５３が配置されている。前記したように、スイッチ部材１３は、上ケース１１と下ケース１２の境界に配置されていることから、第３シール部材５３は、単なる一本のリングではなく、リングの一部に第２シール部材５２が介在する形状となっている。すなわち、第２シール部材５２と第３シール部材５３は、一体に形成されたシール部材５５となっている。第２シール部材５２および第３シール部材５３は、ゴム状のものであるのがよい。
なお、上ケース１１と下ケース１２には、縁に沿って、シール部材５５が入る溝が形成されていることで、組立作業が行いやすくなっている。
【００２６】
上ケース１１には、下ケース１２へ向けて、４つのボス１１ｂが形成されている。
この４つのボス１１ｂに対応して、下ケース１２には、４つの小孔１２ｂが形成されている。上ケース１１と下ケース１２とは、これらの間にシール部材５５を挟んで合わせた後、４つのボス１１ｂに小孔１２ｂを介してネジ９７をねじ込むことで結合されている。このように、４つのネジ９７により上ケース１１と下ケース１２とが結合されていることで、シール部材５５と上ケース１１および下ケース１２との密着性が高まり、優れた防水性能が発揮される。
【００２７】
上ケース１１の内面には、円形のスピーカ取付リブ１５が形成されている。スピーカ取付リブ１５の中央には、上下（上ケース１１の厚み方向）に貫通する警報音放出孔１６が形成されている。後述するように、スピーカ取付リブ１５には、取付リング３５を介してスピーカ３３が取り付けられている。
【００２８】
下ケース１２の外側面には、バンド９３の幅に対応したバンド取付孔１７が、下ケース１２の幅方向（短径の方向）に向けて形成されている。このバンド取付孔１７の成形のために、図２（ｂ）に示すように下ケース１２の内面に型抜き穴１７ａが必要となる。そのため、型抜き穴１７ａの形状に合わせた防水壁１７ｂが別部品として成形され、型抜き穴１７ａに接着されている。
【００２９】
次に、スイッチ穴１３ａのシール構造とスピーカ３３の防水構造について説明する。参照する図において、図３は図１のIII−III断面図であり、（ａ）はスイッチピンをスイッチ穴に挿入した状態、（ｂ）はスイッチピンをスイッチ穴から引き抜いた状態を示す。図４は、図１のIV−IV断面図である。
図３（ａ）に示すように、スイッチピン２０は、ピン部２１の長さ方向の中央付近に周方向に形成された係止溝２１ａを有している。一方、スイッチ部材１３のスイッチ穴１３ａの中には、挿入されたスイッチピン２０の係止溝２１ａに対応して突部１３ｂが形成されている。すなわち、スイッチ穴１３ａにスイッチピン２０を挿入すると、係止溝２１ａに突部１３ｂが係合するようになっている。より詳しく説明すると、この挿入状態において、突部１３ｂが係止溝２１ａの先端側の段差部分の角２１ｂに当接するように、突部１３ｂと係止溝２１ａおよび角２１ｂの互いの位置関係が定められている。そのため、スイッチ穴１３ａにスイッチピン２０を挿入した状態では、スイッチピン２０がスイッチ穴１３ａの中側へ引き寄せられるように付勢されて、スイッチ穴１３ａの開口の縁部１３ｅとヘッド２２との間に第１シール部材５１が挟持されている。
従って、スイッチ穴１３ａは、外部からは第１シール部材５１により遮断されて、内部に水が浸入するのが防止されている。
【００３０】
なお、スイッチ穴１３ａ内には、固定された電極の第１接点１３ｃと、第１接点１３ｃに対面した第２接点１３ｄが設けられている。第２接点１３ｄは、板バネ構造を有し、常時第１接点１３ｃ側へ付勢されている。そして、スイッチピン２０をスイッチ穴１３ａに挿入すると、図３（ａ）に示すように、ピン部２１の先端が第２接点１３ｄを撓ませて第２接点１３ｄが第１接点１３ｃから離された状態となっている。そして、スイッチピン２０をスイッチ穴１３ａから引き抜くと、図３（ｂ）に示すように、第２接点１３ｄが第１接点１３ｃ側へ復元し、第１接点１３ｃに接触して、警報装置３０の警報動作のスイッチを入れるようになっている。
【００３１】
図４に示すように、警報音放出孔１６が形成された壁部１６ａは、上ケース１１の外表面１１ｆよりも一段凹んだ位置にある。また、外表面１１ｆを形成する外壁１１ｗと壁部１６ａとは、周壁１６ｂによりつながっている。壁部１６ａには、警報音放出孔１６の縁から外側へ向けて内側リブ１６ｃが形成されている。また、内側リブ１６ｃの外周側には、壁部１６ａから外側へ向けて内側リブ１６ｃと同心円状の外側リブ１６ｄが形成されている。
【００３２】
キャップ１４は、底壁１４ａと底壁１４ａの輪郭から立ち上がった周壁１４ｂとを有して略カップ形状をなしている。カップの内側には底壁１４ａから複数の接続足部１４ｃが突出して形成されている。接続足部１４ｃは、上ケース１１の外側リブ１６ｄと対応した位置に配置されており、接続足部１４ｃが外側リブ１６ｄに接着されることで、キャップ１４が上ケース１１に固定されている。このようにして、キャップ１４は、上ケース１１と適度な空間を保持しつつ、警報音放出孔１６を覆っている。そのため、警報音放出孔１６から出た音は、矢印Ａに示した通路を通って外部へ放出されると同時に、キャップ１４を振動させることによっても放出される。ところが、外側リブ１６ｄ、周壁１４ｂおよび周壁１６ｂによりラビリンス構造が形成されていることで、外部からキャップ１４付近に付着した水は、容易にはスピーカ３３まで達することはできない。
特に、内側リブ１６ｃがあることで、外側リブ１６ｄまで達した水も、内側リブ１６ｃを越えるのが困難であり、より防水性が高められている。また、壁部１６ａとスピーカ３３とが所定距離離間していることで、警報音放出孔１６まで達した水も、容易にはスピーカ３３に接触することがない。このような防水性能を効果的に機能させるためには、上ケース１１やキャップ１４を疎水性の材料で構成するか、これらの表面を疎水性になるように処理しておくのが望ましい。
なお、キャップ１４のカップ形状は、周壁１４ｂが底壁１４ａから徐々に広がる台形となっていることで、ブザー本体１０の外部へ大きな警報音が放出される。
【００３３】
スピーカ３３は、筒部３５ａと筒部３５ａの端部に形成された鍔部３５ｂとからなる取付リング３５の一端に接着されている。取付リング３５は、スピーカ取付リブ１５の内側に嵌合して固定される。取付リング３５の筒部３５ａとスピーカ取付リブ１５の間は、接着剤またはゴム状のシール材によりシールされている。
【００３４】
次に、第２スイッチとしての押しボタンスイッチ３の構造について図５および図６を参照して説明する。図５は押しボタンスイッチの部分を分解した拡大斜視図であり、図６は、図１のVI−VI断面図である。
図５および図６に示すように、押しボタンスイッチ３は、ボタン部材４１と、ストッパ４２と、前記したプッシュスイッチ素子４５とを備え、ボタン部材４１が上ケース１１の貫通孔６０から外部へ望むように構成されている。
【００３５】
上ケース１１の外表面１１ｆを形成する殻には、円筒状の筒壁部６１が上ケース１１の内側、つまり内部の回路基板３１に向かって延びている。筒壁部６１の内側は、上ケース１１を内外に通じさせる貫通孔６０になっている。筒壁部６１の外側には、筒壁部６１と同心円状の円筒からなる外側筒壁部６７が形成されている（図６参照）。外側筒壁部６７には、等間隔で４本の位置決めピン６７ａが下方へ向けて突出して形成されている。筒壁部６１と外側筒壁部６７とは所定距離離間しているため、互いの間にリング状の円形溝６８が形成されている。筒壁部６１の周囲の殻、つまり、貫通孔６０が外部に開口する部分の周囲は、漏斗状に形成された漏斗部６２となっている。
【００３６】
ボタン部材４１は、シリコンゴムなどのゴム状の部材からなる部品である。ボタン部材４１は、主として円柱状の棒状部４１ａと、棒状部４１ａの下端近傍に形成された鍔部４１ｂとを備えてなる。棒状部４１ａの先端４１ｃ、つまり、外部に向いた上端は、上ケース１１の筒壁部６１と漏斗部６２との境となる稜線６３におよそ沿うように、棒状部４１ａの軸線に対し斜めに向いている。
より詳細に説明すると、図６に示すように、ボタン部材４１を上ケース１１に組み付けた状態では、先端４１ｃは稜線６３よりは突出しているが、上ケース１１の外表面１１ｆを延長した面（図６に仮想線で示した延長面１１ｆ′）よりは引っ込んでいる（低くなっている）。
【００３７】
また、ボタン部材４１の鍔部４１ｂには、その上面に、棒状部４１ａから所定距離離間してリング状の立壁部４１ｄが形成されている。立壁部４１ｄは、上ケース１１の円形溝６８に嵌合して、上ケース１１とボタン部材４１の間から水が浸入するのをより困難にしている。
鍔部４１ｂには、さらに外周から中心へ向けて形成された切欠４１ｅが形成されている。切欠４１ｅは、位置決めピン６７ａに対応して、９０度ごとに全部で４つ形成されている
棒状部４１ａの下端には、棒状部４１ａよりやや小さな直径の突起４１ｆが設けられている（図６参照）。この突起４１ｆは、回路基板３１に設けられたプッシュスイッチ素子４５に当接している。
【００３８】
ストッパ４２は、ボタン部材４１を上ケース１１に固定しておくための部材である。ストッパ４２は、ボタン部材４１の鍔部４１ｂと略同じ大きさのリング状の平板で、上ケース１１と固着可能な樹脂などからなる。ストッパ４２の上面には、同心円状に２つのビード４２ｂが突設されている。ビード４２ｂは、鍔部４１ｂに当接することで、鍔部４１ｂにリング状に局所的に高い圧力を与え、鍔部４１ｂと上ケース１１、詳細には鍔部４１ｂと、上ケース１１の筒壁部６１または外側筒壁部６７の下端との密着性を向上させている。
ストッパ４２には、ボタン部材４１の鍔部４１ｂと同様に、外周に４つの切欠４２ｅが位置決めピン６７ａに対応して形成されている。
【００３９】
ボタン部材４１は、切欠４１ｅが位置決めピン６７ａに係合されることで向きが合わせられる。そして、ストッパ４２の切欠４２ｅを位置決めピン６７ａに係合させつつ、ストッパ４２と位置決めピン６７ａを溶着または接着などで固着することでボタン部材４１が上ケース１１の貫通孔６０に取り付けられる。この取付の際には、ストッパ４２をボタン部材４１に押し付けながら位置決めピン６７ａに固着させることで、ボタン部材４１の鍔部４１ｂが上ケース１１に押圧され、外部からケースＣ内に水が浸入するのを良好に防止することができる。
【００４０】
図７は、スイッチの回路上の配置を示す図である。
図７に示すように、引き抜きスイッチ２を構成するスイッチ部材１３と、押しボタンスイッチ３を構成するプッシュスイッチ素子４５とは、警報装置３０のブザー回路３７に対し並列に接続されている。すなわち、スイッチ部材１３またはプッシュスイッチ素子４５のいずれかが閉じた場合に警報装置３０の電源が入り、警報音がスピーカ３３から発生する。
【００４１】
プッシュスイッチ素子４５の構造の詳細は図示しないが、一度押すと、回路が閉じた状態が保持され、もう一度押すと回路が開放される、いわゆるプッシュプッシュスイッチであるのが望ましい。
プッシュプッシュスイッチを採用することにより、一度押しボタンスイッチ３を押し込めば、再度押しボタンスイッチ３を押し込む間での間、警報音が鳴り続け、危害を加える者を驚かせ続けることができる。
【００４２】
以上のように、本実施形態の携帯用防犯ブザー１は、上ケース１１と下ケース１２の合わせ目、スイッチ部材１３と、上ケース１１および下ケース１２との合わせ目、スイッチ部材１３のスイッチ穴１３ａ、スピーカ３３からの音が放出される警報音放出孔１６および押しボタンスイッチ３のすべてが防水構造となっており、水の飛散を受けても内部に水が浸入することがない。これにより、いわゆる生活防水性能を達成することができる。
また、スイッチ部材１３にシール部材５５（第２シール部材５２および第３シール部材５３）を取り付け、回路基板３１を上ケース１１に固定するので、上ケース１１と下ケース１２を嵌め合わせるときにシール部材５５がずれることがなく、組立作業が行いやすいとともに、組立不良が発生しにくい。また、電池３２を交換する場合にも、下ケース１２を上ケース１１から外したときにシール部材５５が上ケース１１に組み付いたままであるので、再度組立をするのが容易である。
【００４３】
さらに、第２スイッチとしての押しボタンスイッチ３も、ゴム状のボタン部材４１が鍔部４１ｂを有し、この鍔部４１ｂが上ケース１１に対して押圧されていることで、上ケース１１とボタン部材４１との間から水が浸入するのが防止されている。しかも、ストッパ４２に設けられたリング状のビード４２ｂにより鍔部４１ｂが局所的に押圧されていることで、防水性がより高くなっている。
【００４４】
そして、本実施形態の携帯用防犯ブザー１によれば、引き抜きスイッチ２だけでなく、押しボタンスイッチ３を有し、これらの一方の操作によって警報音を鳴らすことができるので、満員電車など身動きがとれない状況においても、押しボタンスイッチ３を押すという小さな動作で警報音を鳴らし始めることができるとともに、その後、引き抜きスイッチ２のスイッチピン２０を引き抜くことで、容易には警報音を止められなくすることができる。
【００４５】
また、ボタン部材４１の先端４１ｃは、外装であるケースＣの輪郭の延長面１１ｆ′より引っ込んでいるため、物が当たっても誤って警報音が鳴り出すことがないだけでなく、先端４１ｃが漏斗状に凹んだケースＣの漏斗部６２の下端（漏斗部６２と貫通孔６０の境の稜線６３）よりは突出しているので、指でボタン部材４１を探れば容易に先端４１ｃに触れることができ、警報音のスイッチを容易に入れることができる。
【００４６】
このように、押しボタンスイッチ３は、主としてボタン部材４１をストッパ４２により上ケース１１に固定するだけで、防水性と操作性が確保されている。そして、簡易な構造ながら、ボタン部材４１がゴム状の材質からできていることから、操作時にはボタン部材４１の鍔部４１ｂが弾性変形することで、プッシュスイッチ素子４５の操作ストロークを得ることが可能である。
【００４７】
以上に本発明の実施形態について説明したが、本発明は、前記した実施形態に限定されることなく、適宜変形して実施することが可能である。
たとえば、押しボタンスイッチ３の配置は適宜変更することができる。実施形態においては、ブザー本体１０の上側、つまり、バンド９３での装着時に外側に来る方に押しボタンスイッチ３を設けたが、バンド９３がある側、つまり、装着時の内側に押しボタンスイッチ３があると、物などにぶつかったときに誤って警報音のスイッチが入ってしまうおそれがさらに少なくなる。また、押しボタンスイッチ３により警報音を鳴らし始めた場合に、危害を加えようとする犯人から警報音を止められにくくなる。この場合は、回路基板３１とは別個に下ケース１２側にプッシュスイッチ素子を固定するなど、適宜な構成を採ることができる。
また、ケースＣの外側に警報装置３０と配線されていないダミーのボタンを配置し、内側に警報装置３０と配線された真のボタンを配置しておいてもよい。この場合には、押しボタンスイッチ３で警報音を鳴らした後、危害を加える犯人が警報音を止めようとして外側のボタンを押しても警報音が止まらないため、犯人を狼狽させることができる。
【００４８】
また、実施形態においては、プッシュスイッチ素子４５として、一度押したら閉じ、再度押したら開放するプッシュプッシュスイッチを用いたが、押している間だけ閉じるスイッチや、押した後、一定時間だけ閉じるスイッチなどを採用してもよい。もっとも、警報音が容易に止まらないようにするためには、プッシュプッシュスイッチを採用するのが望ましい。
【図面の簡単な説明】
【００４９】
【図１】第１実施形態に係る携帯用防犯ブザーの全体斜視図である。
【図２】（ａ）は、実施形態に係る携帯用防犯ブザーの分解斜視図であり、（ｂ）は、下ケースの内面側から見た分解斜視図である。
【図３】図１のIII−III断面図であり、（ａ）はスイッチピンをスイッチ穴に挿入した状態、（ｂ）はスイッチピンをスイッチ穴から引き抜いた状態を示す。
【図４】図１のIV−IV断面図である。
【図５】押しボタンスイッチの部分を分解した拡大斜視図である。
【図６】図１のVI−VI断面図である。
【図７】スイッチの配線を示す警報装置の回路図である。
【符号の説明】
【００５０】
１      携帯用防犯ブザー
２      引き抜きスイッチ
３      押しボタンスイッチ
１０    ブザー本体
１１    上ケース
１１ｆ  外表面
１１ｆ′  延長面
１２    下ケース
１３    スイッチ部材
１３ａ  スイッチ穴
１４    キャップ
２０    スイッチピン
３０    警報装置
３１    回路基板
４１    ボタン部材
４１ａ  棒状部
４１ｂ  鍔部
４１ｃ  先端
４１ｄ  立壁部
４１ｅ  切欠
４１ｆ  突起
４２    ストッパ
４２ｂ  ビード
４５    プッシュスイッチ素子
６０    貫通孔
６１    筒壁部
６２    漏斗部
６３    稜線
Ｃ      ケース
【図１】
2007316450.tif 000003
【図２】
2007316450.tif 000004
【図３】
2007316450.tif 000005
【図４】
2007316450.tif 000006
【図５】
2007316450.tif 000007
【図６】
2007316450.tif 000008
【図７】
2007316450.tif 000009